(57)【要約】      （修正有）【課題】高さ調節の仕組みが簡単で、高さ調節部分にガタつきのないテーブルを提供する。【解決手段】上下方向に所要の間隔をもって対向して穿孔された貫通孔６を複数個有するパイプ製の脚部２と、上端に、対向して設けられた第１の孔及び第２の孔を有し、脚部の一部を収納するパイプ製の足部３と、第１の孔の側から、第１の孔、貫通孔及び第２の孔を貫通し高さ調節を行う固定ピン４と、パイプ製の脚部の下端の内部に固定される第１の部分とパイプ製の足部内に、移動可能に圧入される第２の部分とからなるブッシュ５とを備えたテーブル。【選択図】図２
0003221996.tif 000002
【実用新案登録請求の範囲】
【請求項１】
上下方向に所要の間隔をもって対向して穿孔された貫通孔を複数個有するパイプ製の脚部と、
上端に、対向して設けられた第１の孔及び第２の孔を有し、該パイプ製の脚部の一部を収納するパイプ製の足部と、
該第１の孔の側から、該第１の孔、該貫通孔及び該第２の孔を貫通し高さ調節を行う固定ピンと、
該パイプ製の脚部の下端の内部に固定される第１の部分と該パイプ製の足部内に、移動可能に圧入される第２の部分とからなるブッシュとを備えたテーブル。
【請求項２】
上記ブッシュの第１の部分は、中空の部分と上記パイプ製の足部に内接するとともに少なくとも１個の縦溝が形成された複数個の環状のフィンとから構成されており、該中空部分には上下移動可能な断面逆台形の楔部が設けられていることを特徴とする請求項１に記載のテーブル。
【請求項３】
上記楔部にはナットが埋設されており、上記第２の部分から挿入されたボルトに螺合することにより、楔部を上下移動可能としたことを特徴とする請求項１又は請求項２に記載のテーブル。
【請求項４】
上記楔部には、上記縦溝内に張り出した回転止めの凸部が形成されていることを特徴とする請求項３に記載のテーブル。
【請求項５】
上記ブッシュの第２の部分には、上記パイプ製の足部の内壁に当接する複数個の環状の鍔が形成されていることを特徴とする請求項１ないし請求項４のいずれか１項に記載のテーブル。
【請求項６】
上記環状の鍔には、縦方向に複数個の切込みが形成されていることを特徴とする請求項５に記載のテーブル。
【請求項７】
上記パイプ製の足部の上端には、上記第１の孔に連通する第１の開口及び上記第２の孔に連通する第２の開口を有する固定ピン保持部が形成されていることを特徴とする請求項１ないし請求項６のいずれか１項に記載のテーブル。
【請求項８】
上記固定ピンは、固定ピン保持部に弾性的に固定する固定ピン挿入保持具に保持されていることを特徴とする請求項７に記載のテーブル。
【請求項９】
上記固定ピンの先端は、固定ピン保持部に形成された第２の開口から僅かに外部に張り出していることを特徴とする請求項８に記載のテーブル。
【考案の詳細な説明】
【技術分野】
【０００１】
本考案は、簡単かつ確実に高さ調節ができるテーブルに関する。
【背景技術】
【０００２】
高さを変えられるテーブルについては、その高さ調節のため、穴と共動するピンを有するものがこれまで多数提案されている。
（例えば、特許文献１ないし特許文献３参照）
【０００３】
従来のものは、高さ調節の仕組みが複雑でコスト高であったり、高さ調節部分にガタつきがあったりして、十分なものではなかった。
このため、本出願人は高さ調節ピンをネジ止することにより、高さ調節部分のガタつきを防止することを提案している。
ところが、この提案では、従来の欠点は改善されているが、高さ調節をする際に高さ調節ピンのネジ止を解除する手間が必要であった。
【先行技術文献】
【特許文献】
【０００４】
【特許文献１】特開平１１−４６８７５号公報
【特許文献２】特開２００２−２３８６６６号公報
【特許文献３】特開２００４−２２２９４２号公報
【特許文献４】実用新案登録第３２１２８５３号公報
【考案の概要】
【考案が解決しようとする課題】
【０００５】
本考案は従来のテーブルの問題点を解決し、高さ調節の仕組みが簡単で、高さ調節部分にガタつきのないテーブルを提供することを課題とする。
【課題を解決するための手段】
【０００６】
本考案の上記課題を解決するための手段は、次のとおりである。
（１）上下方向に所要の間隔をもって対向して穿孔された貫通孔を複数個有するパイプ製の脚部と、
上端に、対向して設けられた第１の孔及び第２の孔を有し、上記パイプ製の脚部の一部を収納するパイプ製の足部と、
第１の孔の側から、第１の孔、貫通孔及び第２の孔を貫通し高さ調節を行う固定ピンと、
上記パイプ製の脚部の下端の内部に固定される第１の部分と上記パイプ製の足部内に、移動可能に圧入される第２の部分とからなるブッシュとを備えたテーブル。
（２）上記ブッシュの第１の部分は、中空の部分と上記パイプ製の足部に内接するとともに少なくとも１個の縦溝が形成された複数個の環状のフィンとから構成されており、中空部分には上下移動可能な断面逆台形の楔部が設けられていることを特徴とする（１）に記載のテーブル。
（３）上記楔部にはナットが埋設されており、上記第２の部分から挿入されたボルトに螺合することにより、楔部を上下移動可能としたことを特徴とする（１）又は（２）に記載のテーブル。
（４）上記楔部には、上記縦溝内に張り出した回転止めの鍔が形成されていることを特徴とする（３）に記載のテーブル。
（５）上記ブッシュの第２の部分には、上記パイプ製の足部の内壁に当接する複数個の環状の鍔が形成されていることを特徴とする（１）ないし（４）のいずれかに記載のテーブル。
（６）上記環状の鍔には、縦方向に複数個の切込みが形成されていることを特徴とする（５）に記載のテーブル。
（７）上記パイプ製の足部の上端には、上記第１の孔に連通する第１の開口及び上記第２の孔に連通する第２の開口を有する固定ピン保持部が形成されていることを特徴とする（１）ないし（６）のいずれかに記載のテーブル。
（８）上記固定ピンは、固定ピン保持部に弾性的に固定する固定ピン挿入保持具に保持されていることを特徴とする（７）に記載のテーブル。
（９）上記固定ピンの先端は、固定ピン保持部に形成された第２の開口から僅かに外部に張り出していることを特徴とする（８）に記載のテーブル。
【考案の効果】
【０００７】
本考案に係るテーブルによれば、次のような効果が得られる。
（１）穴と共動する固定ピンを採用しているため、テーブルの高さ調節が容易である。
（２）太さの異なるパイプ製の脚部とパイプ製の足部をスライドさせて高さを調節する際に、パイプ製の脚部の下端の内部に固定される第１の部分とパイプ製の足部内に、移動可能に圧入される第２の部分からなるブッシュを備えているため、クリアランスが緩和されテーブルの揺れを軽減することができる。
（３）固定ピンは、固定ピン挿入保持具により弾性的に固定ピン保持部に保持されているため、簡単に着脱でき、しかも使用中に固定ピンが脱落することがない。
【図面の簡単な説明】
【０００８】
【図１】本考案に係るテーブルの実施例の斜視図である。
【図２】本考案に係るテーブルの高さ調節方法を説明する図面である。
【図３】本考案に係るテーブルに使用されるブッシュの断面図である。
【図４】本考案に係るテーブルに使用されるブッシュの斜視図である。
【図５】本考案に係るテーブルに使用されるブッシュを斜め上方から撮影した写真である。
【考案を実施するための形態】
【０００９】
（テーブル）
本考案に係るテーブルの実施例を例示して、本考案について詳細に説明する。
なお、本考案に係る「テーブル」は、天板を有し高さ調節が可能な作業用机、学習机、幼児用机等を含む広義のテーブルを包含する。
また、天板の裏側に引出等を有するものも、本考案に係る「テーブル」に含まれる。
【００１０】
（実施例）
図１は、本考案の実施例に係るテーブルの斜視図である。
図１には、上下方向に所要の間隔をもって対向して穿孔された貫通孔を複数個有するパイプ製の脚部と、脚部の一部を収納するパイプ製の足部が示されている。
また図１には、パイプ製の脚部と、脚部の一部を収納するパイプ製の足部とが分離された分解図も示されている。
【００１１】
図１には、パイプ製の脚部２の下端の内部に固定されるとともにパイプ製の足部３内に圧入されるブッシュ５が示されている。パイプ製の足部３の上端には、高さ調節を行う固定ピン４を固定ピン保持部２０に弾性的に固定する、固定ピン挿入保持具２１が示されている。
【００１２】
（固定ピン）
固定ピン４を保持した固定ピン挿入保持具２１は、弾性体で構成されており、固定ピン保持部２０の凹部に嵌着して固定される。
固定ピン４は、その先端を強く押すことで、固定ピン保持部２０から固定ピン挿入保持具２１とともに簡単に取り外すことができる。
【００１３】
（テーブルの高さ調節）
図２は、本考案に係るテーブルの高さ調節方法を説明する図面である。
図２から分かるように、下端にブッシュ５が固定されたパイプ製の脚部２は、パイプ製の足部３内に一部を収納されており、所望の貫通孔の位置に固定ピン４により固定されている。
【００１４】
テーブルの高さ調節は、次のようにして行われる。
パイプ製の足部３の上端の固定ピン保持部２０には、第１の孔７に連通する第１の開口及び上記第２の孔８に連通する第２の開口が形成されている。
また、固定ピン４は、固定ピン保持部２０に弾性的に固定する固定ピン挿入保持具２１に保持されている。
【００１５】
固定ピン挿入保持具２１に保持された固定ピンは、第１の開口、第１の孔７、貫通孔６、第２の孔８及び第２の開口を貫通して挿入され、固定ピン保持部２０に弾性的に固定される。
図２から分かるように、固定ピン４の先端は、取り外しが容易なように、固定ピン保持部２０に形成された第２の開口から僅かに外部に張り出している。
【００１６】
（ブッシュ）
図２には、パイプ製の脚部２の下端の内部に固定されるとともにパイプ製の足部３内に、移動可能に圧入されたブッシュが示されている。
本考案では、テーブルの脚部にブッシュを設けることにより、高さ調節部分にガタつきのないテーブルを提供することが可能となっている。
このブッシュについて、図３ないし図５により詳細に説明する。
【００１７】
図３は、本考案に係るテーブルに使用されるブッシュの断面図である。また、図４はブッシュの斜視図であり、図５は、ブッシュを斜め上方から撮影した写真である。
ブッシュ５は、パイプ製の脚部２の下端の内部に固定される第１の部分９とパイプ製の足部３内に、移動可能に圧入される第２の部分１０からなっている。
【００１８】
図４から分かるように、ブッシュ５の第１の部分９は、中空の部分１１とパイプ製の足部３に内接するとともに、少なくとも１個の縦溝１４が形成された複数個の環状のフィン１２とから構成されている。中空部分には上下移動可能な断面逆台形の楔部１３が設けられている。
【００１９】
楔部１３にはナット１５が埋設されており、第２の部分１０から挿入されたボルト１６に螺合することにより上下移動可能としている。ボルト１６を右に回転させると断面逆台形の楔部１３が下降し縦溝１４が開くことにより、環状のフィン１２がパイプ製の脚部２の内壁を強く押圧し、ブッシュ５の第１の部分９がパイプ製の脚部２内に固定される。
断面逆台形の楔部１３には、必要に応じて、縦溝１４内に張り出した回転止めの凸部１７が形成されている。
【００２０】
ブッシュ５の第２の部分１０には、パイプ製の足部３の内壁に当接する複数個の環状の鍔１８が形成されている。環状の鍔１８の外径は、パイプ製の足部３の内径よりわずかに大きめに設計される。これにより、ブッシュは、パイプ製の足部内を移動可能に圧入されている。
【００２１】
さらに、環状の鍔１８には複数個の切込み１９を設けることができる。環状の鍔１８の外径及び切込みの数、切込みの程度は、パイプ製の脚部２の上下移動性の程度及びガタつきを勘案して適宜設計される。
【００２２】
（本考案の技術的範囲）
以上、本考案に係る高さ調節可能なテーブルについて好適な実施例を例示して説明したが、この実施例は、本考案の技術的範囲を限定するものではなく、実用新案登録請求の範囲に記載された本考案の要旨を逸脱しない範囲内で各種の変更や修正を加えることができることは、言うまでもないことである。
【符号の説明】
【００２３】
１  テーブル
２  パイプ製の脚部
３  パイプ製の足部
４  固定ピン
５  ブッシュ
６  貫通孔
７  第１の孔
８  第２の孔
９  第１の部分
１０  第２の部分
１１  中空の部分
１２  環状のフィン
１３  楔部
１４  縦溝
１５  ナット
１６  ボルト
１７  回転止めの凸部
１８  環状の鍔
１９  切込み
２０  固定ピン保持部
２１  固定ピン挿入保持具
【図１】
0003221996.tif 000003
【図２】
0003221996.tif 000004
【図３】
0003221996.tif 000005
【図４】
0003221996.tif 000006
【図５】
0003221996.tif 000007
【手続補正書】
【提出日】平成31年4月24日(2019.4.24)
【手続補正１】
【補正対象書類名】実用新案登録請求の範囲
【補正対象項目名】全文
【補正方法】変更
【補正の内容】
【実用新案登録請求の範囲】
【請求項１】
上下方向に所要の間隔をもって対向して穿孔された貫通孔を複数個有するパイプ製の脚部と、
上端に、対向して設けられた第１の孔及び第２の孔を有し、該パイプ製の脚部の一部を収納するパイプ製の足部と、
該第１の孔の側から、該第１の孔、該貫通孔及び該第２の孔を貫通し高さ調節を行う固定ピンと、
該パイプ製の脚部の下端の内部に固定される第１の部分と該パイプ製の足部内に、移動可能に圧入される第２の部分とからなるブッシュとを備えたテーブル。
【請求項２】
上記ブッシュの第１の部分は、中空の部分と上記パイプ製の足部に内接するとともに少なくとも１個の縦溝が形成された複数個の環状のフィンとから構成されており、該中空部分には上下移動可能な断面逆台形の楔部が設けられていることを特徴とする請求項１に記載のテーブル。
【請求項３】
上記楔部にはナットが埋設されており、上記第２の部分から挿入されたボルトに螺合することにより、楔部を上下移動可能としたことを特徴とする請求項２に記載のテーブル。
【請求項４】
上記楔部には、上記縦溝内に張り出した回転止めの凸部が形成されていることを特徴とする請求項３に記載のテーブル。
【請求項５】
上記ブッシュの第２の部分には、上記パイプ製の足部の内壁に当接する複数個の環状の鍔が形成されていることを特徴とする請求項１ないし請求項４のいずれか１項に記載のテーブル。
【請求項６】
上記環状の鍔には、縦方向に複数個の切込みが形成されていることを特徴とする請求項５に記載のテーブル。
【請求項７】
上記パイプ製の足部の上端には、上記第１の孔に連通する第１の開口及び上記第２の孔に連通する第２の開口を有する固定ピン保持部が形成されていることを特徴とする請求項１ないし請求項６のいずれか１項に記載のテーブル。
【請求項８】
上記固定ピンは、固定ピン保持部に弾性的に固定する固定ピン挿入保持具に保持されていることを特徴とする請求項７に記載のテーブル。
【請求項９】
上記固定ピンの先端は、固定ピン保持部に形成された第２の開口から僅かに外部に張り出していることを特徴とする請求項８に記載のテーブル。